(57)【要約】      （修正有）【課題】主電源スイッチが予期せずしてオンオフされることを防止することが可能な爪用樹脂硬化器を提供する。【解決手段】爪用樹脂硬化器１は、手を挿入する挿入口２ｂを有し、内部に手を収容する装置本体２と、装置本体２の内部に設けられ、装置本体２の内部に収容された手の爪に光を照射する複数の光源と、装置本体２の側面に設けられた主電源スイッチ１０と、装置本体２の上面２ｃに設けられた光源の作動を制御する操作部４と、主電源スイッチ１０に隣接された突起部１１とを有する。装置本体２が壁面に接触した際に、主電源スイッチ１０よりも突出して配置された突起部１１が主電源スイッチ１０よりも先に壁面に接触することにより、主電源スイッチ１０が予期せずオンされたりオフされたりしてしまうことを防止できる。【選択図】図２
0003229777.tif 000002
【実用新案登録請求の範囲】
【請求項１】
手を挿入する挿入口を有し、内部に手を収容する装置本体と、
前記装置本体の内部に設けられ、前記装置本体の内部に収容された手の爪に光を照射する複数の光源と、
前記装置本体の側面に設けられた主電源スイッチと、
前記装置本体の上面に設けられた前記光源の作動を制御する操作部と、
前記主電源スイッチに隣接された突起部とを有する爪用樹脂硬化器。
【請求項２】
請求項１記載の爪用樹脂硬化器において、
前記突起部を複数有することを特徴とする爪用樹脂硬化器。
【請求項３】
請求項２記載の爪用樹脂硬化器において、
前記複数の突起部は前記主電源スイッチの両側部に配置されていることを特徴とする爪用樹脂硬化器。
【請求項４】
請求項１ないし３の何れか一つに記載の爪用樹脂硬化器において、
前記突起部の前記側面からの突出量は前記主電源スイッチの前記側面からの突出量以上であることを特徴とする爪用樹脂硬化器。
【請求項５】
請求項１ないし３の何れか一つに記載の爪用樹脂硬化器において、
前記突起部は弾性体からなることを特徴とする爪用樹脂硬化器。
【請求項６】
請求項５記載の爪用樹脂硬化器において、
前記突起部の前記側面からの突出量は前記主電源スイッチの前記側面からの突出量よりも大きいことを特徴とする爪用樹脂硬化器。
【請求項７】
請求項１ないし６の何れか一つに記載の爪用樹脂硬化器において、
手が載置される底板を有し、前記底板には指の置き場を使用者に示唆する指置き部が設けられていることを特徴とする爪用樹脂硬化器。
【請求項８】
請求項７記載の爪用樹脂硬化器において、
前記底板の外部から視認可能である位置には手の置き場を示すマーク部が設けられていることを特徴とする爪用樹脂硬化器。
【考案の詳細な説明】
【技術分野】
【０００１】
本考案は、爪に塗布された樹脂を硬化させる爪用樹脂硬化器に関する。
【背景技術】
【０００２】
従来、爪に塗布されたマニキュアやトップコート等のコーティング剤からなる樹脂材料は、ヘアドライヤ等の送風手段によって温風や冷風を吹き付けて強制的に乾燥させたり、そのまま放置しておくことにより自然に乾燥させたりしていた。
しかしこのような方法では、爪に塗布された樹脂材料が乾燥するまでに長時間を要し、乾燥させている間は手の使用が制限され不便であるという問題点があった。
【０００３】
そこで、基台である台部の上方に指を載置する指置き指示部を設け、この指置き指示部の上方に遠赤外線発生部を配置し、指置き指示部上に載置された指の爪部に対して遠赤外線発生部から遠赤外線を照射し、遠赤外線によって爪部に塗布された樹脂材料を乾燥させる技術が提案されている（例えば「特許文献１」参照）。
また、手差し込み口を有するケーシングの上部に紫外線照射ランプを配置し、手差し込み口に手を挿入すると紫外線照射ランプが点灯し、紫外線によって爪部に塗布された樹脂材料を乾燥させる技術が提案されている（例えば「特許文献２」参照）。
さらに、基台である底台の上方を二重構造の内蓋と外蓋とで覆い、各蓋間に紫外線発光ダイオード、電線ユニット、コントロールユニット、スイッチ部品等を配置し、紫外線発光ダイオードの下方に手を置いた状態でスイッチをオンさせることにより、紫外線によって爪部に塗布された樹脂材料を乾燥させる技術が提案されている（例えば「特許文献３」参照）。
【先行技術文献】
【特許文献】
【０００４】
【特許文献１】実開平２−４８００８号公報
【特許文献２】実用新案登録第３０４３１６６号公報
【特許文献３】実用新案登録第３１８５７０７号公報
【考案の概要】
【考案が解決しようとする課題】
【０００５】
上述した各技術では、遠赤外線や紫外線等の電磁波を発生させるための電力供給を受け、スイッチを操作することによって遠赤外線や紫外線等の電磁波のオンオフを制御している。このようなスイッチとして、電磁波のオンオフ動作を操作するものの他に、主電源をオンオフさせるものを備えた爪用樹脂硬化器も知られている。このようなスイッチ、特に主電源スイッチは、基台やケーシング等の装置本体の側部に設けられている場合が多い。
【０００６】
上述のように装置本体の側部に主電源スイッチが設けられている爪用樹脂硬化器においては、装置本体が異物や壁部等に接触して主電源スイッチが予期せずしてオンオフされ、主電源がオンされたりオフされたりしてしまう場合があった。機器の仕様によっては、電磁波が照射されているか否かを装置本体の外部から容易には確認することができないものもあり、このような機器において主電源が切断されると、装置使用者は電磁波が照射されていると思っているにも拘わらず実際には電磁波の照射が停止されていて、思うように爪部の樹脂硬化を行うことができないという問題点があった。
本考案は、主電源スイッチが予期せずしてオンオフされることを防止することが可能な爪用樹脂硬化器の提供を目的とする。
【課題を解決するための手段】
【０００７】
本考案は、手を挿入する挿入口を有し、内部に手を収容する装置本体と、前記装置本体の内部に設けられ、前記装置本体の内部に収容された手の爪に光を照射する複数の光源と、前記装置本体の側面に設けられた主電源スイッチと、前記装置本体の上面に設けられた前記光源の作動を制御する操作部と、前記主電源スイッチに隣接された突起部とを有することを特徴とする。
【考案の効果】
【０００８】
本考案によれば、主電源スイッチに隣接された突起部を有するので、装置本体にプラグが差し込まれていない場合やプラグが差し込まれる側面とは異なる側面に主電源スイッチが設けられた場合であっても、装置本体が壁面に接触した際に主電源スイッチが壁面に接触することを、主電源スイッチよりも突出して配置された突起部が主電源スイッチよりも先に壁面に接触することにより防止する。これにより、主電源スイッチが予期せずオンされたりオフされたりしてしまうことを防止でき、使い勝手を向上することができる。
【図面の簡単な説明】
【０００９】
【図１】本考案の一実施形態に係る爪用樹脂硬化器の概略斜視図である。
【図２】本稿案の一実施形態に係る爪用樹脂硬化器の概略平面図である。
【図３】本考案の一実施形態に用いられる装置本体の内面を示す概略図である。
【図４】本考案の一実施形態に用いられる装置本体の背面を示す概略図である。
【図５】本考案の一実施形態に用いられる主電源スイッチ及び突起部を示す概略図である。
【図６】本考案の一実施形態に用いられる底板の概略図である。
【図７】本考案の一実施形態に係る爪用樹脂硬化器の使用状態を示す概略図である。
【図８】本考案の一実施形態に係る主電源スイッチ及び各突起部を示す概略図である。
【図９】本考案の一実施形態に係る爪用樹脂硬化器の他の使用状態を示す概略図である。
【考案を実施するための形態】
【００１０】
図１は、本考案の一実施形態に係る爪用樹脂硬化器を示す概略斜視図である。同図において爪用樹脂硬化器１は、装置本体２と、装置本体２に対して着脱自在に構成された底板３とを有している。
内部に手を収容可能な空間を有するドーム状の装置本体２は、その前面２ａに手を挿入するための挿入口２ｂを有しており、その上面２ｃには操作部４を有している。
操作部４は、図１及び図２に示すように、一つの表示部４ａと五つのスイッチ部４ｂ，４ｃ，４ｄ，４ｅ，４ｆとを有している。表示部４ａは、三組の７セグメントＬＥＤを備えており、三桁までの数字を表示可能に構成されている。
【００１１】
各スイッチ部４ｂ，４ｃ，４ｄ，４ｅは、爪用樹脂硬化器１の操作者によって触れられることにより、表示部４ａにそれぞれ「１０」、「３０」、「６０」、「１２０」の数字を置数する。置数された数字は爪用樹脂硬化器１の作動時間に対応しており、爪用樹脂硬化器１はその作動を図示しない制御手段によって制御される。爪用樹脂硬化器１の動作については後述する。
スイッチ部４ｆは、触れられることにより表示部４ａの表示を上下反転させる。すなわち表示部４ａは、通常は前面２ａ側に位置した人から正しい表示が見えるように表示を行い、スイッチ部４ｆに触れられると前面２ａとは対向する側に位置した人から正しい表示が見えるように表示を行う。
【００１２】
図３に示すように装置本体２の内部には、手が挿入可能な空間を構成すべく底面２ｄから斜め上方に向けて起立形成された六箇所の壁面２ｅと、各壁面２ｅの上辺部分に形成された空間の天井部をなす内面２ｆとが形成されている。底面２ｄ及び内面２ｆには、放熱を行うための複数の穴部５が設けられている。
各壁面２ｅ及び内面２ｆには、截頭四角錐形状からなる凹部６がそれぞれ複数個ずつ形成されており、各凹部６内には光源としてのＬＥＤランプ７がそれぞれ一つずつ、本実施形態では計三十六個設けられている。底面２ｄには、装置本体２に対して底板３を取り付けるための取付穴８が四箇所形成されている。取付穴８は、それぞれ大径部と小径部とが形成されている。
【００１３】
装置本体２の前面２ａと対向する背面２ｇには、図４に示すように、爪用樹脂硬化器１に電力を供給するＡＣアダプタのプラグが差し込まれるプラグ差し込み口９と、爪用樹脂硬化器１の主電源をオンオフさせる主電源スイッチ１０とが配置されている。主電源スイッチ１０は周知のロッカスイッチからなり、操作者によって操作されることにより、図５（ａ）に示すオフ状態と図５（ｂ）に示すオン状態とを選択的に取り得る。
主電源スイッチ１０の両側部には、二つの突起部１１がそれぞれ背面２ｇから突出する態様で設けられている。主電源スイッチ１０及び各突起部１１の詳細な構成については後述する。
【００１４】
底板３は、図６に示すように、その両側部上下に四箇所の係合部１２を有している。各係合部１２は、図６において紙面方向にそれぞれ突出形成されており、断面Ｌ字形状となるようにその突出した先端部がそれぞれ曲折形成されている。各係合部１２は各取付穴８の大径部に対してそれぞれ嵌合可能に形成されており、各取付穴８に各係合部１２を嵌合させた状態で底板３を図６において下方へと移動させることにより、各係合部１２の曲折形成された先端部が各取付穴８の小径部にそれぞれ係合して、装置本体２に対して底板３が取り付けられる。
【００１５】
底板３の、底面２ｄに形成された各穴部５と対応する位置には、装置本体２に対して底板３が取り付けられた際に各穴部５と連通する複数の穴部１３が形成されている。また、図１に示すように、爪用樹脂硬化器１の外部から挿入口２ｂを介して視認可能である底板３の部位には、使用者に手の置き場を示すマーク部１４が設けられており、マーク部１４よりも装置奥側には使用者に指の置き場を示唆する指置き部１５が設けられている。マーク部１４及び指置き部１５は底板３の表面から凹むようにそれぞれ形成されており、指置き部１５は使用者が親指を除く四本の指を載置した際に、各指が各ＬＥＤランプ７からの照射を均等に受けられる位置に設けられている。
【００１６】
図３に示すように、装置本体２の底面２ｄを有する壁部の内部には、投光部１６ａと受光部１６ｂとを有する検知センサが設けられている。検知センサは、投光部１６ａから照射された光線を受光部１６ｂによって常時受光しており、挿入口２ｂから手が挿入されて受光部１６ｂによる受光が途絶えた際に図示しない制御手段に信号を送るように構成されている。信号を受けた図示しない制御手段は、表示部４ａに置数が行われているか否かを判断し、置数が行われている場合には各ＬＥＤランプ７をそれぞれ点灯させる。
また、この爪用樹脂硬化器１は、図３に示すように装置本体２の内部にバッテリ１７を備えた充電式の爪用樹脂硬化器である。これにより、図２に示すようにプラグ差し込み口９にＡＣアダプタのプラグ１８を所定時間接続することによりバッテリ１７に対して充電が行われ、プラグ差し込み口９からプラグ１８を取り外しても、すなわちコードレス状態で使用してもバッテリ１７からの給電により動作が可能に構成されている。
【００１７】
ここで、爪用樹脂硬化器１の動作について説明する。
爪用樹脂硬化器１は、被施術者の爪に塗布されたマニキュアやトップコート等のコーティング剤からなる樹脂材料を乾燥させて硬化させるものであり、その操作は被施術者自身あるいは施術者によって行われる。ここでは、爪用樹脂硬化器１によって爪に塗布された樹脂を乾燥される人を被施術者、被施術者と異なる人であり爪用樹脂硬化器１を操作する人を施術者、被施術者または施術者の区別なく爪用樹脂硬化器１を操作する人を操作者と呼ぶこととする。
【００１８】
バッテリ１７に対して十分に電力が蓄電されていない状態において、操作者は図２に示すようにプラグ差し込み口９にＡＣアダプタのプラグ１８を差し込み、主電源スイッチ１０を図２及び図５（ａ）に示すオフ状態から操作して図５（ｂ）に示すオン状態に変位させる。これにより爪用樹脂硬化器１の主電源がオンされ、例えば表示部４ａに「０００」が表示される。
この状態から、操作者によってスイッチ部４ｂが触れられると表示部４ａに「１０」が、スイッチ部４ｃが触れられると表示部４ａに「３０」が、スイッチ部４ｄが触れられると表示部４ａに「６０」が、スイッチ部４ｅが触れられると表示部４ａに「１２０」がそれぞれ置数される。
【００１９】
表示部４ａに数字が置数された状態で挿入口２ｂから被施術者の手が挿入されると、投光部１６ａから受光部１６ｂに向けて照射された光線が手によって遮られ、図示しない制御手段に手が挿入されたことを示す信号が送信される。このとき、底板３上にはマーク部１４が設けられているので、被施術者は迷うことなく挿入口２ｂに対して手を挿入することができる。
手が挿入された信号を受信した制御手段は、各ＬＥＤランプ７を所定の強度で点灯させると共に、図示しないタイマを作動させて表示部４ａに置数されている数字を１ずつ減算させる。そして、減算により置数されている数字が０になると、各ＬＥＤランプ７が消灯され、被施術者の爪に塗布された樹脂の乾燥動作が終了する。
【００２０】
上述の動作において、各スイッチ部４ｂ，４ｃ，４ｄが触れられて置数が行われた後に各ＬＥＤランプ７が点灯する際には、それぞれの場合において各ＬＥＤランプ７は上述した所定の強度で点灯する。しかし、スイッチ部４ｅが触れられて表示部４ａに「１２０」が置数された後に各ＬＥＤランプ７が点灯する際には、各ＬＥＤランプ７は、上述した所定の強度を「強」とすると、「強」→「弱」→「中」→「強」の順番でそれぞれ強度を変化させて点灯する。なお、各強度の点灯時間はそれぞれ所定の時間であり、合計で１２０秒となる。これにより、被施術者に対して強い強度の光を長時間当てることなく、樹脂を確実に硬化させることができる。
【００２１】
上述の動作時において、表示部４ａに置数が行われた後にスイッチ部４ｆが触れられると、表示部４ａの表示が１８０度回転する。これにより、被施術者に対して対面側に位置する施術者が操作者となって爪用樹脂硬化器１を操作する際に、施術者側に表示部４ａの表示が向くこととなり、操作性を向上することができる。
また、挿入口２ｂから挿入された被施術者の手は指置き部１５によって位置決めされるので、施術者は手の置き位置を気にすることなく、図７に示すように挿入口２ｂに手を入れ、指置き部１５に各指を置くだけで被施術者の手に対して各ＬＥＤランプ７の光が均等に照射される。これにより、光を照射ムラなく被施術者の爪に照射でき、爪用樹脂の硬化を各指において均等に行うことができる。
【００２２】
次に、本考案の特徴部である主電源スイッチ１０及び各突起部１１の構成について説明するが、これに先立ち、従来の爪用樹脂硬化器、すなわち主電源スイッチ１０の近傍に突起部１１を有していない爪用樹脂硬化器における問題点を説明する。
バッテリを搭載した爪用樹脂硬化器では、バッテリに充電が行われていない状態時においては、図２に示す状態と同様に、プラグ差し込み口にＡＣアダプタのプラグを差し込んで使用する。この状態では、主電源スイッチの近傍にプラグ差し込み口が位置し、ここにプラグが差し込まれているため、爪用樹脂硬化器が背面を壁面に押し付けられたとしても、プラグが壁面に接触するために主電源スイッチは壁面に接触せず、主電源スイッチが壁面によって押されることはない。
しかし、バッテリ１７を有しておらずプラグ１８を常時装置本体２に接続させているタイプの爪用樹脂硬化器であってプラグ差し込み口が主電源スイッチとは異なる装置本体の壁面に設けられている場合や、バッテリ１７を有していてバッテリ１７からの給電によりプラグ１８を装置本体２に接続させることなくコードレス状態での使用が可能な爪用樹脂硬化器であってバッテリ１７への充電が充分でありプラグ１８を差し込まなくても爪用樹脂硬化器を作動可能である場合には、主電源スイッチが壁面に接触して押され、予期せずしてオンあるいはオフされてしまう場合がある。本発明は、このような不具合の発生を防止することを目的としている。以下に、その構成を説明する。
【００２３】
図８は、主電源スイッチ１０及び各突起部１１及びプラグ差し込み口９に差し込まれたＡＣアダプタのプラグ１８を上方から見た概略図である。図８において、主電源スイッチ１０は装置本体２の背面２ｇから突出量Ａとなるように配置されており、この突出量Ａは主電源スイッチ１０が上述したオン位置とオフ位置との何れの状態を占めた場合であっても同じとなるように構成されている。
そして、主電源スイッチ１０の両隣に配置された突起部１１は、それぞれ背面２ｇから同じ突出量Ｂとなるように配置されている。ここで、各突起部１１は金属や硬質樹脂等の弾性変形不可である材質により形成されており、突出量Ｂは突出量Ａ以上となるように構成されている。また、プラグ１８が差し込まれた状態を二点鎖線で示す。
【００２４】
上述の構成により本考案によれば、主電源スイッチ１０に隣接された突起部１１を有するので、装置本体２にプラグ１８が差し込まれていない場合やプラグ１８が差し込まれる側面とは異なる側面に主電源スイッチ１０が設けられた場合であっても、装置本体２が壁面に接触した際に主電源スイッチ１０が壁面に接触することを、主電源スイッチ１０よりも突出して配置された突起部１１が主電源スイッチ１０よりも先に壁面に接触することにより防止する。これにより、主電源スイッチ１０が予期せずオンされたりオフされたりしてしまうことを防止でき、使い勝手を向上することができる。
また、突起部１１を複数個設けることにより主電源スイッチ１０が壁面に接触することをより確実に防止でき、さらに複数個の突起部１１を主電源スイッチ１０の両側部に配置することにより、主電源スイッチ１０が壁面に接触することをより一層防止できる。これにより、さらに使い勝手を向上することができる。
【００２５】
また、各突起部１１として、ゴムやウレタン等の弾性変形可能な材質から形成されたものを用いることも可能である。このような材質の突起部１１を用いる場合には、突出量Ｂとして突出量Ａよりも大きな値を設定する。これにより、たとえ各突起部１１が弾性変形したとしても壁部に主電源スイッチ１０が接触することを防止でき、上述と同様の作用効果を得ることができる。また、各突起部１１として弾性変形可能な材質のものを用いることにより、各突起部１１が壁部に接触した際に壁部が突起部１１によって傷付くことを防止することができる。
【００２６】
以上、本考案の好ましい実施の形態について説明したが、本考案は係る特定の実施形態に限定されるものではなく、上述の説明で特に限定しない限り、実用新案登録請求の範囲に記載された本考案の趣旨の範囲内において、種々の変形・変更が可能である。本考案の実施の形態に記載された効果は、本考案から生じる最も好適な効果を例示したに過ぎず、本考案による効果は、本考案の実施の形態に記載されたものに限定されるものではない。
例えば上述した実施形態では、被施術者の手の爪に塗布された樹脂の乾燥動作を爪用樹脂硬化器１によって乾燥させる例を示したが、被施術者の足の爪に塗布された樹脂の乾燥動作を爪用樹脂硬化器１によって乾燥させてもよい。この場合は、図９に示すように底板３を取り外した状態で爪用樹脂硬化器１を使用することも可能である。
【符号の説明】
【００２７】
１  爪用樹脂硬化器
２  装置本体
２ｂ  挿入口
２ｃ  上面
３  底板
４  操作部
７  光源（ＬＥＤランプ）
１０  主電源スイッチ
１１  突起部
１４  マーク部
１５  指置き部
【図１】
0003229777.tif 000003
【図２】
0003229777.tif 000004
【図３】
0003229777.tif 000005
【図４】
0003229777.tif 000006
【図５】
0003229777.tif 000007
【図６】
0003229777.tif 000008
【図７】
0003229777.tif 000009
【図８】
0003229777.tif 000010
【図９】
0003229777.tif 000011